【手続補正書】
【提出日】平成19年11月21日(2007.11.21)
【手続補正１】
【補正対象書類名】特許請求の範囲
【補正対象項目名】全文
【補正方法】変更
【補正の内容】
【特許請求の範囲】
【請求項１】
特性的な金銭的価値のあるシート物の積み重ね束を容器（４）の中にパッケージするパッケージ用装置であって、
容器の中に積み重ねられるシート物（２）を供給する排出口（８；８９）、
容器における開口がシート物を排出口から受け入れることができるように、容器を受け入れる連結機構（５，６；８８）、
シート物を排出口へ推進するとともに、シート物を前記開口を通して容器の中へ供給してその中に積み重ねる推進機構（３２，３３，３９〜４１）、および
容器の内部に積み重ねられたシート物を封止してその封止された容器がこのパッケージ用装置の中にシート物をパッケージするためにそれを実質的に使用不能にしなければ開放することができないように、容器の前記開口の上に密閉部材（９）を封止する一方で前記連結機構によって保持される封止装置（５０）
を備えてなるパッケージ用装置。
【請求項２】
容器の中へ供給されたシート物に関連のあるデータを印字するプリンター（５１）を含んでいる請求項１に記載の装置。
【請求項３】
プリンター（５１）は、前記データを密閉部材（９）の上へ印字するように作動することができる請求項２に記載の装置。
【請求項４】
プリンター（５１）は、封止が容器の内側においてされた後に前記データを密閉部材（９）の側面の上へ印字するように作動することができる請求項３に記載の装置。
【請求項５】
シート物のための投入通路（３０）を含み、推進機構（３２，３３，３９〜４１）は、シート物をそれらの主要面が投入通路に沿って広がった状態に排出口（８；８９）まで推進するとともに、シート物をそれらの主要面に対して横断する方向に排出口を通して容器（４）の中へ推進し、それによって容器の中にシート物の積み重ね束を作り出すように作動することができる請求項１〜４のいずれか１つに記載の装置。
【請求項６】
シート物を受け入れる第１投入口（３）と密閉部材を受け入れる第２投入口（１０）とを含んでおり、推進機構は、シート物および密閉部材を排出口まで推進するように作動することができる請求項１〜５のいずれか１つに記載の装置。
【請求項７】
本体（５；８７）とこの本体に取り付けられた開放可能なフレーム（６，８８）とを含んでおり、フレームは、前記排出口（８；８９）を含んでいるとともに、開放されたときに容器（４）がフレームにおける排出口の中に嵌まり込むことができ、その後、本体に取り付けられたときに容器がフレームと本体との間に保持されるように構成されている請求項５または６に記載の装置。
【請求項８】
投入通路（３０）は、フレームと本体との間に広がっている請求項７に記載の装置。
【請求項９】
封止する手段が本体あるいはフレームにおける電気ヒーター（５０）からなっている請求項７または８に記載の装置。
【請求項１０】
シート物を検出するセンサー（３４）とそれらを計数する計数回路装置（３５）とを含んでいる請求項１〜９のいずれか１つに記載の装置。
【請求項１１】
真正なシート物と不正なシート物とを識別する識別回路装置（３５）を含んでいる請求項１〜１０のいずれか１つに記載の装置。
【請求項１２】
識別回路装置（３５）は、真正なシート物へ特性的な金銭的価値を決定するように作動することができる請求項１１に記載の装置。
【請求項１３】
積み重ねられたシート物を容器の中で押し付けるばね装着状プラテン（１８，２１；６５）を含んでいる請求項１〜１２のいずれか１つに記載の装置。
【請求項１４】
ばね装着状プラテン（６５）は、前記連結機構へ取り付けられた装着用箱の内部にある請求項１３に記載の装置。
【請求項１５】
容器（４）を含んでいる請求項１〜１４のいずれか１つに記載の装置。
【請求項１６】
容器（４）は、シート物を受け入れる開口（１１）と、基部（１８）と、基部から開口へ向かって広がっている側壁（１３〜１６）と、開口の両側において側壁に連結された支持レール（１９，２０）とを備え、使用の際に、シート物（２）は、容器の中で排出口（８）を通して積み重ね構成に置かれたときに弾性的に変形する請求項１５に記載の装置。
【請求項１７】
支持レールは、それぞれが、シート物の側縁領域を投入通路に沿って案内する主案内面（２３）と、容器の中にあるときにシート物の積み重ね束が突き当たる停止部をもたらす停止領域（２４；７４〜７７）とを含んでいる請求項１６に記載の装置。
【請求項１８】
容器の中における積み重ね状シート物を支持レールへ付勢するばね（１７）を基部（１２）の中に含んでおり、容器は、前記開口を覆ってそこに封止された密閉部材を受け入れるように構成されている請求項１６または１７に記載の装置。
【請求項１９】
基部（１２）は、側壁（１３〜１６）と一体であって、ばねを設けるためにそこに弾性的に連結されている請求項１８に記載の装置。
【請求項２０】
側壁は、折り畳み状構成を有している請求項１６または１７に記載の装置。
【請求項２１】
（ｉ）  容器（４）の中に積み重ねられるシート物（２）を供給する排出口（８；
８９）、
容器における開口がシート物を排出口から受け入れることができるように、
容器（４）を受け入れる連結機構（５，６；８８）、
シート物を排出口へ推進するとともに、シート物を前記開口を通して容器の
中へ供給してその中に積み重ねる推進機構（３２，３３，３９〜４１）、およ
び
容器の内部において積み重ねられたシート物を封止するために容器の前記開
口の上に密閉部材を封止する一方で前記連結機構によって保持される封止装置
（５０）
を備えているパッケージ用装置、
（ｉｉ）このパッケージ用装置によってシート物の積み重ね束で満たされるように構
成された少なくとも１つの容器（４）、および
（ｉｉｉ）この容器の上に前記封止装置によって封止される密閉部材（９）
を備えてなる、特性的な金銭的価値のあるシート物の積み重ね束をパッケージするパッケージ用システム。
【請求項２２】
請求項２１に記載のパッケージ用システムにおいて使用するために構成された容器（４）。
【請求項２３】
特性的な金銭的価値のあるシート物をパッケージする容器（４）であって、シート物を受け入れる開口（１１）と、基部（１２）と、基部から開口へ向かって広がっている側壁（１３〜１６）と、開口の両側において側壁に連結された支持レール（１９，２０）とを備えてなり、使用の際に、シート物は、容器の中で積み重ね構成に置かれたときに弾性的に変形し、容器は、いったん開放されるとシート物を積み重ねるために再使用することができないよう、前記開口を覆ってそこに封止された密閉部材（９）を受け入れるように構成されている容器（４）。
【請求項２４】
支持レール（１９，２０）は、開口の外側にある保存位置から開口の内部にある作用位置まで動くために前記側壁の両側にヒンジ留めされている請求項２３に記載の容器。
【請求項２５】
支持レール（１９，２０）は、一体型ヒンジ（２６；７３）によって開口（１１）の周りにおけるリップ（７）へ連結された翼部（１９，２０）を備えている請求項２４に記載の容器。
【請求項２６】
ヒンジは、リップから間隔を置いて保持された翼部を保持するための相隔てられたヒンジ領域（７３）を備えている請求項２５に記載の容器。
【請求項２７】
リップは、前記作用位置にあるときに翼部の上側面と同一平面上にあるヒンジ領域（７３）どうしの間に隆起部分（７'，７"）を含んでいる請求項２６に記載の容器。
【請求項２８】
支持レールは、容器の内部に積み重ねられるシート物の側縁領域を案内する主案内面（２３）と、容器の中にあるときにシート物の積み重ね束が突き当たる停止部をもたらす停止領域（２４；７４〜７７）とをそれぞれが含んでいる請求項２３〜２７のいずれか１つに記載の容器。
【請求項２９】
停止領域は、胸壁（２４）からなっている請求項２８に記載の容器。
【請求項３０】
停止領域は、支持レールの中における溝（７４〜７７）からなっている請求項２８に記載の容器。
【請求項３１】
基部（１２）は、側壁（１３〜１６）と一体であって、容器の中に積み重ねられたシート物を支持レールへ向けて付勢するように作用することのできるばねを設けるためにそこに弾性的に連結されている請求項２３〜３０のいずれか１つに記載の容器。
【請求項３２】
側壁は、折り畳み状構成に配置されている請求項２３〜３１のいずれか１つに記載の容器。
【請求項３３】
基部の上にプラテン（１８，２１）を含み、プラテンは、シート物の積み重ね束を受け入れるように構成されている請求項２３〜３２のいずれか１つに記載の容器。
【請求項３４】
一体に成形された請求項２３〜３３のいずれか１つに記載の容器。
【請求項３５】
プラスチック材料の中で一体に成形された請求項３４に記載の容器。
【請求項３６】
プラテンは、基部の上における別個の素子（２１）からなっている請求項３３に記載の容器。
【請求項３７】
プラテン（１８）は、基部と一体である請求項３３に記載の容器。
【請求項３８】
基部は、支持レールへ向けてそれぞれが弾性的に付勢された複数のプラテン部分（２１ａ，２１ｂ）を含んでいる請求項３３に記載の容器。
【請求項３９】
複数のそれは、一方を他方の内部に積み重ねることができる請求項２３〜３８のいずれか１つに記載の容器。
【請求項４０】
密閉部材（９）を含んでいる請求項２３〜３９のいずれか１つに記載の容器。
【請求項４１】
前記開口に封止された密閉部材を含んでいる請求項４０に記載の容器。
【請求項４２】
密閉部材は、その上にヒートシールされたものである請求項４１に記載の容器。
【請求項４３】
密閉部材は、シート物の取り出しを促進するためにそれに沿って実質的に引き裂くことのできる脆弱線（５３）を含んでいる請求項４０、４１または４２に記載の容器。
【請求項４４】
前記シート物（２）の積み重ね束を含んでいる請求項２３〜４３のいずれか１つに記載の容器。
【請求項４５】
シート物は、特性的な金銭的価値のある銀行券あるいは約束手形からなっている請求項４４に記載の容器。
【請求項４６】
シート物（５２）の前記積み重ね束に関連しているデータが密閉部材の表面に印字されている請求項４４または４５に記載の容器。
【請求項４７】
データは、密閉部材の内側表面に印字されている請求項４６に記載の容器。
【請求項４８】
ＲＦＩＤ装置が備わっている請求項２３〜４７のいずれか１つに記載の容器。
【請求項４９】
請求項２３〜４８のいずれか１つに記載の容器からシート物を取り出す装置であって、その開口の周縁の周りにおける同容器のための支持体（５６）と、基部（１２）へ力を加えてそれを開口（１１）へ向けて推進するとともに、側壁（１３〜１６）をつぶしかつシート物によって密閉部材（９）を破裂させて開放し、シート物を前記開口から容器の外へ出すためのラム（５８）とを含んでいる装置。